(57)【特許請求の範囲】
【請求項１】
利用者とともに移動可能な端末であって、電子的な広告を受信し、前記利用者が広告に関連する位置を訪問したことを取得してその情報を送信し、広告の効果を確認可能にする訪問保証型広告装置において、
センターから送信される前記電子的な広告であり前記広告に関連した位置の情報を含む広告データを格納する広告データベースと、
前記広告データに関連する位置を訪問した情報である広告の効果を示す広告効果データを格納する広告効果データベースと、
前記広告データを利用者に提示する広告提示部と、
現在時刻を取得する時間取得部と、
現在位置を取得する位置取得部と、
前記時間取得部と前記位置取得部からの情報を考慮して前記広告データベースから利用者が訪問した前記広告データを検出し、前記広告効果データとして出力する訪問広告検出部と、
前記訪問広告検出部が出力した前記広告効果データを前記センターに送信する広告効果送信部とを備え、
前記広告データは、前記広告データを一意に識別するための値を記述するＩＤと、前記利用者に提示する広告内容を記述するコンテンツと、前記広告内容に関連する位置を領域として任意個記述する位置と、前記広告内容に関連する位置にどれだけの時間滞在したら訪問したとみなすかの時間を記述する最低滞在時間とから構成され、
前記訪問広告検出部が、前記位置取得部の出力した現在位置と前記広告データの前記位置とを比較して前記領域内にあった場合、前記時間取得部が出力した現在時刻を滞在開始時間とし、前記現在位置から移動したことを前記位置取得部から得た時間を前記時間取得部から得て滞在終了時間とし、前記広告データの前記最低滞在時間よりも前記滞在終了時間から前記滞在開始時間を引いた値が大きかった場合、前記広告データのＩＤを前記広告効果データのＩＤとし、前記広告データに関連する位置に滞在した日時を記述する滞在日時項目に滞在開始時間と滞在終了時間を記述した前記広告効果データを作成し、出力する処理を行うことを特徴とする訪問保証型広告装置。
【請求項２】
請求項１に記載の訪問保証型広告装置において、
前記広告効果データは、前記広告データを一意に識別するための値を記述するＩＤと、前記広告効果データを送信するユーザを識別するためのユーザＩＤと、前記広告データに関連する位置に滞在した日時を記述する滞在日時とから構成されることを特徴とする訪問保証型広告装置。
【請求項３】
請求項１に記載の訪問保証型広告装置において、
前記訪問広告検出部が前記利用者が訪問した広告データを検出すると、前記広告効果送信部に前記広告効果データを出力することを特徴とする訪問保証型広告装置。
【請求項４】
請求項１に記載の訪問保証型広告装置において、
前記訪問広告検出部が、前記利用者が訪問した広告データを検出し、前記時間取得部からの出力を考慮して定期的に前記広告効果データベースに格納されている前記広告効果データをまとめて前記広告効果送信部に出力することを特徴とする訪問保証型広告装置。
【請求項５】
請求項１乃至４のいずれか１項に記載の訪問保証型広告装置において、
前記広告効果送信部は、前記広告効果データのユーザＩＤを一意に設定する処理を行うことを特徴とする訪問保証型広告装置。
【請求項６】
請求項１乃至４のいずれか１項に記載の訪問保証型広告装置において、
前記広告効果送信部は、前記広告効果データのユーザＩＤを広告効果データ送信のたびにランダムに設定する処理を行うことを特徴とする訪問保証型広告装置。
【請求項７】
請求項２に記載の訪問保証型広告装置において、
前記コンテンツが、映像、音声、テキストが単独、または各組み合わせからなることを特徴とする訪問保証型広告装置。
【請求項８】
利用者とともに移動可能な電子的な広告を受信する端末により、前記利用者が広告に関連する位置を訪問したことを取得してその情報を送信し、広告の効果を確認可能にする訪問保証型広告方法において、
センターから送信される前記電子的な広告と前記広告に関連した領域の情報を含む広告データを広告データベースに格納する工程と、
前記広告データに関連する位置を訪問した情報である広告の効果を示す広告効果データを広告効果データベースに格納する工程と、
広告提示部に前記広告データを提示する工程と、
現在時刻を取得する時刻取得工程と、
現在位置を取得する位置取得工程と、
前記時刻取得工程と前記位置取得工程とから前記広告データベースから利用者が訪問した前記広告データを検出し、前記広告効果データとして出力する訪問広告検出工程と、
前記訪問広告検出工程で出力した前記広告効果データを前記センターに送信する工程とを含み、
前記広告データは、前記広告データを一意に識別するための値を記述するＩＤと、前記利用者に提示する広告内容を記述するコンテンツと、前記広告内容に関連する位置を領域として任意個記述する位置と、前記広告内容に関連する位置にどれだけの時間滞在したら訪問したとみなすかの時間を記述する最低滞在時間とから構成され、
前記訪問広告検出工程は、前記位置取得工程で出力した現在位置と前記広告データの前記位置とを比較して前記領域内にあった場合、前記時間取得工程で出力した現在時刻を滞在開始時間とし、前記現在位置から移動したことを前記位置取得部から得た時間を前記時間取得部から得て滞在終了時間とし、前記広告データの前記最低滞在時間よりも前記滞在終了時間から前記滞在開始時間を引いた値が大きかった場合、前記広告データのＩＤを前記広告効果データのＩＤとし、前記広告データに関連する位置に滞在した日時を記述する滞在日時項目に滞在開始時間と滞在終了時間を記述した前記広告効果データを作成し、出力する処理を行うことを特徴とする訪問保証型広告方法。
【請求項９】
請求項８に記載の訪問保証型広告方法において、
前記広告効果データは、前記広告データを一意に識別するための値を記述するＩＤと、前記広告効果データを送信するユーザを識別するためのユーザＩＤと、前記広告データに関連する位置に滞在した日時を記述する滞在日時とから構成されることを特徴とする訪問保証型広告方法。
【請求項１０】
請求項８に記載の訪問保証型広告方法において、
前記訪問広告検出工程で前記利用者が訪問した広告データを検出すると、即座に前記広告効果データを前記サーバに出力することを特徴とする訪問保証型広告方法。
【請求項１１】
請求項８に記載の訪問保証型広告方法において、
前記訪問広告検出工程は、前記利用者が訪問した広告データを検出し、前記時間取得部からの出力を考慮して定期的に前記広告効果データベースに格納されている前記広告効果データをまとめて前記サーバに送信することを特徴とする訪問保証型広告方法。
【請求項１２】
請求項８乃至１１のいずれか１項に記載の訪問保証型広告方法において、
前記広告効果を送信する工程は、前記広告効果データのユーザＩＤを一意に設定する処理を行うことを特徴とする訪問保証型広告方法。
【請求項１３】
請求項８乃至１２のいずれか１項に記載の訪問保証型広告方法において、
前記広告効果を送信する工程は、前記広告効果データのユーザＩＤを広告効果データの送信のたびにランダムに設定する処理を行うことを特徴とする訪問保証型広告方法。
【請求項１４】
請求項９に記載の訪問保証型広告方法において、
前記コンテンツが、映像、音声、テキストが単独、または各組み合わせからなることを特徴とする訪問保証型広告方法。
【請求項１５】
センターから配信される電子的な広告を受信して広告効果を報告する移動端末において、
複数の広告データを受信して格納する広告データベースと、
前記広告データを利用者に提示する広告提示部と、
現在時刻を取得する時間取得部と、
前記移動体の現在位置を取得する位置取得部と、
前記時間取得部と前記位置取得部からの情報をパラメータとして前記広告データベースから利用者が訪問した前記広告データを検出し、前記位置取得部の出力した現在位置と前記広告データの前記位置とを比較して前記領域内にあった場合、前記時間取得部が出力した現在時刻を滞在開始時間とし、前記現在位置から移動したことを前記位置取得部から得た時間を前記時間取得部から得て滞在終了時間とし、前記広告データの前記最低滞在時間よりも前記滞在終了時間から前記滞在開始時間を引いた値が大きかった場合、前記広告データのＩＤを広告の効果を示す広告効果データのＩＤとし、前記広告データに関連する位置に滞在した日時を記述する滞在日時項目に滞在開始時間と滞在終了時間を記述した前記広告効果データを作成し、出力する処理を行う訪問広告検出部と、
前記訪問広告検出部が出力した前記広告効果データを格納する広告効果データベースと、
前記訪問広告検出部が出力した前記広告効果データを前記センターに送信する広告効果送信部とを備え、
前記広告データは、前記広告データを一意に識別するための値を記述するＩＤと、前記利用者に提示する広告内容を記述するコンテンツと、前記広告内容に関連する位置を領域として任意個記述する位置と、前記広告内容に関連する位置にどれだけの時間滞在したら訪問したとみなすかの時間を記述する最低滞在時間とから構成され、
前記広告データを受信したことを前記広告データベースに格納すること及び前記広告効果データベースに格納された前記広告効果データにより広告対応率を検出することを特徴とする移動端末。
【請求項１６】
請求項８乃至１４に記載の訪問保証型広告方法をコンピュータが動作可能なプログラムとして、該プログラムを格納したコンピュータが読み取ることのできる記録媒体。
【発明の詳細な説明】
【０００１】
【発明の属する技術分野】
本発明は、利用者と共に移動可能で電子的な広告を受信する移動体端末により、利用者が広告に関連する位置を訪問したことを取得してその取得情報を送信し、広告の効果を確認可能にする訪問保証型広告装置および訪問保証型広告方法と移動端末、更に該訪問保証型広告方法をプログラムとしてコンピュータが読み取ることのできる記録媒体に関する。
【０００２】
【従来の技術】
従来、電子的な広告において、Ｗｅｂのバナー広告に見られるように、広告を提供する利用者への最低提示回数を保証して、広告効果を保証する装置や方法が存在する。
【０００３】
ここで、バナー広告とはＷｅｂサイト内に掲載されている広告のことをいい、バナーとは旗、新聞の全段抜きの大見出しなどを意味し、バナー広告は広告内容を四角い画像ファイルを表示し、広告主が希望するサイトへのリンクを張り、静止画だけを表示する固定バナーと、一定の表示領域内に複数の広告主の広告を代わる代わる表示するローテーションバナーがある。バナー広告の場合、サイト自体の表示件数をカウントでき、バナーに対してクリックした件数に応じて広告費がアップする方式のサイトもある。
【０００４】
一方、バナー広告をクリックした回数を保証して、広告効果を保証する装置や方法が存在する。
【０００５】
さらに、バナー広告を見てから利用者が実際に該当広告の製品／サービスを購入する金額や回数を保証して広告効果を保証する装置や方法も存在する。
【０００６】
【発明が解決しようとする課題】
ところが、例えば、レストランでの食事のように、実際にその場所を訪問する必要があり、電子的な手段だけでは購入することのできない製品／サービスが存在する。もちろん、レストランの広告を提示して宣伝することはできるが、広告を見て、訪問したかどうかの広告効果の確認をすることは、レストランで利用者にアンケートするなどの手段をとる必要があり、非常に手間がかかる。
【０００７】
本発明は、利用者に提示した広告に関連する場所に、利用者が実際に訪問したかどうかを簡単に広告主が知ることができれば、広告効果を確認でき、広告代のコストパフォーマンスがどの程度かを確認できることを課題として、広告主に訪問保証型広告という広告効果の高い広告の仕組みを提供するものである。
【０００８】
【課題を解決するための手段】
本発明は、利用者とともに移動可能な端末であって、電子的な広告を受信し、前記利用者が広告に関連する位置を訪問したことを取得してその情報を送信し、広告の効果を確認可能にする訪問保証型広告装置において、センターから送信される前記電子的な広告であり前記広告に関連した位置の情報を含む広告データを格納する広告データベースと、前記広告データに関連する位置を訪問した情報である広告の効果を示す広告効果データを格納する広告効果データベースと、前記広告データを利用者に提示する広告提示部と、現在時刻を取得する時間取得部と、現在位置を取得する位置取得部と、前記時間取得部と前記位置取得部からの情報を考慮して前記広告データベースから利用者が訪問した前記広告データを検出し、前記広告効果データとして出力する訪問広告検出部と、前記訪問広告検出部が出力した前記広告効果データをセンターに送信する広告効果送信部とからなることを特徴とする。
【０００９】
また、本発明は、利用者とともに移動可能な電子的な広告を受信する端末により、前記利用者が広告に関連する位置を訪問したことを取得してその情報を送信し、広告の効果を確認可能にする訪問保証型広告方法において、センターから送信される前記電子的な広告と前記広告に関連した領域の情報を含む広告データを広告データベースに格納する工程と、前記広告データに関連する位置を訪問した情報である広告の効果を示す広告効果データを広告効果データベースに格納する工程と、広告提示部に前記広告データを提示する工程と、現在時刻を取得する時刻取得工程と、現在位置を取得する位置取得工程と、前記時刻取得工程と前記位置取得工程とから前記広告データベースから利用者が訪問した前記広告データを検出し、前記広告効果データとして出力する訪問広告検出工程と、前記訪問広告検出工程で出力した前記広告効果データを前記センターに送信する工程とからなることを特徴とする。
【００１０】
また、本発明は、図１を参照して説明すれば、利用者とともに移動可能な電子的な広告を受信する端末により、利用者が広告に関連する位置を訪問したことを取得してその情報を送信し、広告の効果を確認可能にする訪問保証型広告装置および訪問保証型広告方法において、センターから送信される電子的な広告であり広告に関連した位置の情報を含む広告データ１００、１０１、１０２と、訪問保証型広告装置がセンターに送信する広告データ１００、１０１、１０２に関連する位置を訪問した情報である広告の効果を示すデータの広告効果データ１２０、１２１、１２２と、広告データ１００、１０１、１０２を受信し任意個格納する広告データベース１１０と、広告データ１００、１０１、１０２を利用者に提示する広告提示部１１１と、現在時刻を取得する時間取得部１１２と、訪問保証型広告装置の現在位置を取得する位置取得部１１３と、時間取得部１１２と位置取得部１１３からの情報を考慮して広告データベース１１０から利用者が訪問した前記広告データ１００、１０１、１０２を検出し、広告効果データ１２０、１２１、１２２として出力する訪問広告検出部１１４と、訪問広告検出部１１４が出力した広告効果データ１２０、１２１、１２２を格納する広告効果データベース１１７と、訪問広告検出部１１４が出力した広告効果データ１２０、１２１、１２２をセンターに送信する広告効果送信部１１６からなる。
【００１１】
さらに詳細を、図２、図３を用いて説明すると、広告データ１００、１０１、１０２が、広告データを一意に識別するための値を記述するＩＤ２００と、利用者に提示する広告内容を記述するコンテンツ２０１と、広告に関連する位置を領域として任意個記述する位置２０２と、広告に関連する位置にどれだけの時間滞在したら訪問したとみなすかの時間を記述する最低滞在時間２０３からなり、広告効果データ１２０、１２１、１２２が、広告データ１００、１０１、１０２を一意に識別するための値を記述するＩＤ３００と、広告効果データ１２０、１２１、１２２を送信するユーザを識別するためのユーザＩＤ３０１と、広告データ１００、１０１、１０２に関連する位置に滞在した日時を記述する滞在日時３０２とからなる。
【００１２】
上記動作処理の説明をすると、訪問広告検出部１１４が、利用者が訪問した広告データを検出すると、即座に広告効果送信部１１６に広告効果データ１２０、１２１、１２２を出力、または、即座に広告効果送信部１１６に出力せず、時間取得部１１２からの出力を考慮して定期的に広告効果データベース１１７に格納されている広告効果データ１２０、１２１、１２２をまとめて広告効果送信部１１６に出力する。
【００１３】
広告効果送信部１１６が、広告効果データ１２０、１２１、１２２のユーザＩＤ３０１を一意に設定する処理、または、広告効果データ１２０、１２１、１２２のユーザＩＤ３０１を広告効果データ送信のたびにランダムに設定する処理をおこなう。
【００１４】
さらに処理を詳細化すると、訪問広告検出部１１４が、位置取得部１１３の出力した現在位置と広告データ１２０、１２１、１２２の位置２０２を比較して領域内にあったら、時間取得部１１２が出力した現在時刻を滞在開始時間とし、現在位置から移動したことを位置取得部１１３から得て、その時間を時間取得部１１２から得て滞在終了時間とし、広告データ１２０、１２１、１２２の最低滞在時間２０３よりも滞在終了時間から滞在開始時間を引いた値が大きかったら、広告データ１２０、１２１、１２２のＩＤを広告効果データ１２０、１２１、１２２のＩＤ３００とし、滞在日時３０２に滞在開始時間と滞在終了時間を記述して広告効果データ１２０、１２１、１２２を作成し出力する処理をおこなう。
【００１５】
こうして、前記広告データを受信したことを前記広告データベース１１０に格納すると共に、広告データベース１１０に格納したことを送信部である広告効果送信部１１６を用いてセンター１０に通信しておけば、広告データベース１１０に格納した広告データの数と広告効果データベース１１７に格納された広告効果データの数とにより、その移動体の広告対応率（広告効果データ数／広告データ数）を検出することができると共に、センター１０に通知された広告データを受信格納した移動体の数と、広告効果データの数とから、その広告の広告効果率（広告効果データ数／通知移動体の数）を検出することができ、広告効果の数値的管理さえを可能とすることができる。
【００１６】
【発明の実施の形態】
本発明による実施形態について、図面を参照しつつ詳細に説明する。
【００１７】
［第１の実施形態］
次に、本発明の一実施形態による訪問保証型広告装置及びそのシステムについて、図１乃至図６を参照して説明する。
【００１８】
（構成の説明）
図１において、１０は通信システムや特に本発明の広告データを広告主から有線回線又は無線回線によって受信して送受信部を有する移動体と送受信するセンターであり、１１はその移動体であり、車載用移動体、携帯電話、ハンディホン等が該当する。また、本発明による広告提供システムは、広告データと移動体とは、広大な地域で、広告データの示す位置がポツン・ポツンとある領域で用いることを想定すると理解しやすい。
【００１９】
図１に示す広告提供システムは、広告主からの広告データを放送形態で配信し、散在する移動体に対してその広告データを送付し、その広告データの効果を各移動体から回答を得て、広告効果を広告主に報告する広告情報供給元となるセンター１０と、主に広告データを提供され広告効果を出力する移動体の訪問保証型広告装置１１とから構成されている。センター１０と移動体の訪問保証型広告装置１１とは主に無線で接続され、センター１０のアンテナ１４０と訪問保証型広告装置１１のアンテナ１４１とで、予め定めてある無線周波数で相互通信を実行する。
【００２０】
この訪問保証型広告装置１１について、主に車載用移動体として、放送波又は無線波によって、センター１０から広告データを受け、広告データベース１１０に格納すると共にディスプレイ或いはスピーカ等の広告掲示部１１１によって、広告データを掲示する。また、広告データベース１１０からの広告データ１０１，１０２と当該広告掲示部１１１からの掲示広告を訪問したユーザによる時間取得部１１２及びその位置取得部とから訪問広告検出部により検出され、広告効果データベース１１７の広告効果データ１２１，１２２に格納すると共に、広告効果送信部１１６からセンター１０に広告効果データを送出する。
【００２１】
また、図２に広告データの構成図を示す。図２の広告データは広告データＩＤ２００と、その内容のコンテンツ２０１と、移動器の位置２０２と、最低滞在時間２０３とから構成されている。また、図３は広告効果データの構成を示し、広告効果ＩＤ３００と、ユーザＩＤ３０１と、滞在日時３０２とから構成されている。
【００２２】
また、図４は広告データの例を示す図であり、例えば広告データＩＤ２００を１とし、コンテンツ２０１を「テキスト＝”ＡＢＣレストランの夏の・・・”とし静止画＝そのレストランの地図とし、移動器の位置２０２を緯度＝Ｘ１，経度＝Ｙ１，緯度＝Ｘ２，経度＝Ｙ２，緯度＝Ｘ３，経度＝Ｙ３，緯度＝Ｘ４，経度＝Ｙ４とし、最低滞在時間２０３＝３０分とした広告データがあるとする。
【００２３】
また、図５は広告効果データの例を示す図である。例えば、広告効果ＩＤ３００＝１とし、ユーザＩＤ３０１を１２とし、滞在日時３０２を１９９９−０９−２４Ｔ１１：５２：０５から１９９９−０９−２４Ｔ１２：４５：３９とした広告効果データとする。また、図６は広告提示部の例を示す図である。
【００２４】
また、図６は広告提示部１１１の一例を示す図である。図６によれば、全画面が広告の画像であり、地図とキャラクタの店名と特徴とが記載されている。
【００２５】
まず、図１に示すように、広告データ１００、１０１、１０２は、センターから送信される電子的な広告であり、広告に関連した位置の情報を含む。例えば、Ｗｅｂのバナー広告が考えられるが、これに限定しない。ここで、広告に関連した位置とは、コンテンツに関連する地理的な位置をいい、例えばこのコンテンツに関連する駐車場の位置や公園の領域、地域名所の広告であればその名所領域や観光領域など、近年の広告業界の発展に従って、多岐に亘る地理的な位置を特定できる。この地理的な位置或いは領域を特定しておけば、広告データを掲示し、それを視聴した移動体の広告受領者が、その位置或いは領域に所定時間滞在した場合には、広告効果としての訪問が成されたと判断できる。
【００２６】
この点を詳細化すると、広告データ１００、１０１、１０２は、ＩＤ２００、コンテンツ２０１、位置２０２、最低滞在時間２０３からなる。図４に広告データ１００、１０１、１０２にレストランを記述した例を示す。
【００２７】
また、ＩＤ２００は、広告データ１００、１０１、１０２を一意に識別するための値を記述する。例えば、数値や文字列を記述する。図４の例では、ＩＤ２００に数値「１」を記述してある。
【００２８】
図２に示すコンテンツ２０１は、利用者に提示する広告内容を記述する。例えば、静止画像、動画像、音声、テキスト・キャラクタを用いて、レストラン・博物館・遊園地パーク・デパートなどの広告を記述することが考えられる。図４の例では、コンテンツ２０１は、テキストと静止画からなり、テキストには”ＡＢＣレストラン夏の…”、静止画にはレストランの地図を記述してあり、具体的には図６に示すような画面を広告掲示部１１１に表示・掲示する。
【００２９】
また、位置２０２は、広告に関連する位置を領域として任意個記述する。例えば、広告データがレストランであった場合、そのコンテンツに関連ある位置２０２にはレストランの店舗と駐車場の領域を記述する。例えば、領域が多角形である場合、多角形の各頂点を緯度経度で記述したり、領域が円形である場合、円形の中心点を緯度・経度で記述し、半径を記述することが考えられる。図４の例では、位置２０２に多角形の４頂点を緯度・経度で記述してある。
【００３０】
最低滞在時間２０３は、広告に関連する位置にどれだけの時間滞在したら訪問したとみなすかの時間を記述する。いわゆる時間的なしきい値である。図４の例では、最低滞在時間２０３に３０分レストランに滞在したら、訪問したとみなすと記述してある。この滞在時間はコンテンツの内容によって可変される。例えば広告主がレストランの場合には３０分、公園の場合には１時間というように、広告主と相談の上最低滞在時間を決定してもよい。
【００３１】
広告効果データ１２０、１２１、１２２は、訪問保証型広告装置がセンターに送信する広告データ１００、１０１、１０２に関連する位置を訪問したという実績情報である広告の効果を示すデータである。
【００３２】
詳細化すると、図３に示すように、広告効果データ１２０、１２１、１２２は、ＩＤ３００、ユーザＩＤ３０１、滞在日時３０２からなる。図５に広告効果データ１２０、１２１、１２２にレストランを訪問した場合の記述例を示す。
【００３３】
ＩＤ３００は、広告データ１００、１０１、１０２のＩＤ２００と同じく「１」としており、広告データ１００、１０１、１０２を一意に識別するための値を記述する。例えば、数値や文字列を記述する。図５の例では、ＩＤ３００に図４のレストランを示す「１」を記述してある。
【００３４】
ユーザＩＤ３０１は、広告効果データ１２０、１２１、１２２を送信する移動体の訪問保証型広告装置１１の保持者であるユーザを識別するための値を記述する。例えば、数値や文字列を記述する。図５の例では、ユーザＩＤ３０１に「１２」を記述してある。
【００３５】
滞在日時３０２は、広告データ１００、１０１、１０２に関連する位置に滞在した日時を記述する。図５の例では、滞在開始した日時を１９９９年９月２４日１１時５２分５秒、滞在終了した日時を１９９９年９月２４日１２時４５分３９秒と記述してある。
【００３６】
図１に示す広告データベース１１０は、受信した広告データ１００、１０１、１０２を任意個格納する。例えば、コンピュータのファイルシステムや、関係データベースが考えられるが、これに限定しない。
【００３７】
広告提示部１１１は、広告データ１００、１０１、１０２を利用者に提示する。例えば、広告データ１００、１０１、１０２のコンテンツ２０１を利用者に提示する。コンテンツ２０１が映像の場合にはモニタ・ディスプレイが、音声の場合にはスピーカが考えられるがこれに限定しない。例えば、コンテンツ２０１がテキストと静止画であった場合、図６に示したように、モニタにテキストと静止画を表示する。
【００３８】
時間取得部１１２は、現在時刻を取得する。例えば、時計が考えられ、訪問保証型広告装置１１内のＣＰＵ用クロックをに基づいて時間をカウントしてもよい。
【００３９】
位置取得部１１３は、訪問保証型広告装置１１の現在位置を取得する。例えば、ＧＰＡＳ用アンテナ１４２を用いたＧＰＳ（Global Positioning System）が考えられるが、これに限定しない。例えば、地磁気センサーや、車輪センサー、ジャイロセンサー等を、車載の制御装置であるＥＣＵ（Electronic Control Unit）によって演算制御されて現在位置を取得できる。例えば、ＧＰＳ装置では、数ｍの誤差率で、緯度・経度が測定できるので、本実施形態の滞在位置と滞在時間を特定するためによく、カーナビゲータに常設されている可能性が高いので、容易に位置取得部１１２が設定され得る。
【００４０】
訪問広告検出部１１４は、時間取得部１１２と位置取得部１１３からの情報を考慮して、広告データベース１１０から利用者が訪問した広告データ１００、１０１、１０２を検出し、滞在時間を計算して、所定時間以上の滞在を確認したならば、広告効果データ１２０、１２１、１２２として出力する。
【００４１】
また、広告効果送信部１１６は、移動体として用いられる受信部に対する送信部と共通に用いることができ、移動体と基地局にあるセンター１０との音声、ビデオ、データ通信の一つに広告効果の送信通知があるとみてもよい。また、不図示の移動体の受信部から復調した広告データは、広告掲示部１１１に表示出力等を行うと共に、広告データを広告データベース１１０に格納した場合には、その送信部１１６からセンター１０宛に広告データを格納した旨の通信メッセージを送出する。
【００４２】
（動作の説明）
以下、図７を参照しつつ、訪問広告検出部１１４の処理方法について説明する。まず、日本のように狭い領域でサービス広告主が密集している場合よりも、例えば米国のように広告主が散発的に存在し、広告主のサービス地域周辺には１つだけの場合が多い地域を例示する。
【００４３】
最初に、広告データベース１１０に広告データ１００、１０１、１０２が存在するかチェックする（Ｓ１００）。この場合、例えば高速道路のレストランの場合、そのレストランが広告主であって広告データをセンター１０を介して訪問保証型広告装置１１に広告データベース１１０に登録しているものとする。その広告データが存在したらＳ１０１へ、存在しなかったら、もう一度チェックするためＳ１００へ移行する。広告データベース１１０から広告データ１００、１０１、１０２を一つ取り出す（Ｓ１０１）。位置取得部１１３から訪問保証型広告装置１１の現在位置を取得する（Ｓ１０２）。
【００４４】
つぎに、現在位置がＳ１０１で取り出した広告データの位置２０２の領域内にあるかチェックし、領域内にあるならばＳ１０４へ、領域内にないならばＳ１００へ移行する（Ｓ１０３）。時間取得部１１２から現在時刻を取得し、Ｓ１０１で取り出した広告データの滞在開始時間とする（Ｓ１０４）。位置取得部１１３から訪問保証型広告装置１１の現在位置を取得し、現在位置がＳ１０１で取り出した広告データの位置２０２の領域内にあるかチェックし、領域内にあるならば再びＳ１０５へ、領域内にないならばＳ１０６へ移行する（Ｓ１０５）。
【００４５】
つぎに、時間取得部１１２から現在時刻を取得し、Ｓ１０１で取り出した広告データの滞在終了時間とする（Ｓ１０６）。滞在終了時間から滞在開始時間を引いた時間が、Ｓ１０１で取り出した広告データの最低滞在時間２０３を超えていたら、訪問したとしＳ１０８へ、超えていないならばＳ１００へ移行する（Ｓ１０７）。広告効果データのＩＤ３００をＳ１０１で取り出した広告データのＩＤ２００とし、広告効果データの滞在日時３０２に滞在開始時間と滞在終了時間を設定して、即座に広告効果データベース１１７に格納すると共に、即座に広告効果送信部１１６に広告効果データを出力、または、即座に広告効果送信部１１６に出力せず、時間取得部１１２からの出力を考慮して、定期的に広告効果データベース１１７に格納されている広告効果データ１２０、１２１、１２２をまとめて、広告効果送信部１１６に出力し、Ｓ１００へと処理する（Ｓ１０８）。
【００４６】
以上は一実施形態であり、他の実施形態としてはリアルタイムに訪問広告を検出するのではなく、定期的に時間取得部１１２と位置取得部１１３から得た情報を、位置とその位置を訪問した時間の組で記憶しておき、訪問広告検出部１１４が定期的に先の位置とその位置を訪問した時間の組と広告データベース１１０に格納されている広告データ１００、１０１、１０２を比較することで、どの広告データに訪問したかを検出することも考えられる。
【００４７】
広告効果データベース１１７は、訪問広告検出部１１４が出力した広告効果データ１２０、１２１、１２２を格納する。
【００４８】
広告効果送信部１１６は、訪問広告検出部１１４が出力した広告効果データ１２０、１２１、１２２をセンターに送信する。
【００４９】
以下、広告効果送信部１１６の処理方法について説明する。広告効果送信部１１６が、広告効果データ１２０、１２１、１２２のユーザＩＤ３０１を一意に設定する処理を行う。例えば、広告データに訪問する利用者の同意が得られていれば、利用者毎に固有のユーザＩＤ３０１を設定することで、どのような利用者がどの広告に関連する位置を訪問したかを知ることができる。
【００５０】
また、広告データをセンター１０から受信して、受信したことを広告データベース１１０に格納すると共に、広告データベース１１０にその広告データを格納したことをセンター１０側に知らせるように、送信部の一形態の広告効果送信部１１６を介して、所定のコードパターンでセンター１０に送信しておく。そうすると、所定期間内のその移動体の広告対応率（広告効果データ数／広告データ数）を検出することができる。また、センター１０に通知された広告データを受信格納した移動体の数と、広告効果データの数とから、その広告の広告効果率（広告効果データ数／通知移動体の数）を検出することができる。そうすれば、広告効果の数値的管理が現実的となる。
【００５１】
または、広告効果データ１２０、１２１、１２２のユーザＩＤ３０１を、広告効果データの送信のたびに、ランダムに設定する処理をおこなう。例えば、利用者のプライバシーを考慮して、広告効果データ送信のたびにランダムに設定することで利用者を特定できないようにすることで、個人のプライバシーを守ることもできる。
【００５２】
上記実施形態では、広大な地域で、広告データ及びその広告データの指定する領域に所定時間滞在することを特定できる場合について説明したが、近い将来、ＧＰＳ等により車載用移動体の位置が微細に特定できるようになり、広告データが増加しても各広告データが特定する位置を確実に確保できるように性能的に向上すれば、広大な地域のみ成らず、密集した領域になっても、この広告効果を確実に検出できるようになる。また、車載用移動機に限らず、携帯用の移動体であっても、位置取得部１１３の性能の向上によって、車載用移動体と同様に広告効果を容易に検出できる状態になることが予測できる。
【００５３】
また、図１には、訪問保証型広告装置１１にはフロッピーディスクやスマートメモリー等の記録媒体１５０が記載されており、当該訪問保証型広告装置１１に予め格納されている本装置に用いるコンピュータプログラムやデータベース等をソフトウェアとして記録媒体に格納することができる。この記録媒体によって、広告データの広告効果を求めるプログラムを他の移動体に移植して、該プログラムをコンピュータで動作させ、センターに広告データに対応する広告効果を送信することで、スポンサーである広告主に広告効果の報告をセンターを介して行うことができる。
【００５４】
また、上記実施形態では、広告効果のパラメータとして利用者の位置と滞在時間を設定したが、広告データによっては、コンテンツに関連する位置を特定できない場合があるが、例えば通信サービス業や鉄道運搬業等などであるが、この場合には広告主が何を指標として広告効果を計れるのかを特定して、位置の代わりにその指標に基づいて、広告効果を検出できるようにしておけばよい。通信サービス業のプロバイダでは、広告データをブロードキャスト的に放送し、そのうち回答受付時間毎に何局がサービスを受けるのかをもって広告効果とする場合には、パラメータをユーザ数、時間として広告効果を判断できる。
【００５５】
【発明の効果】
本発明により、例えば、レストランでの食事のように、実際にその場所を訪問する必要があり、電子的な手段だけでは購入することのできない製品／サービスの広告でも、利用者に提示した広告に関連する場所に、利用者が実際に訪問したかどうかと、その滞在日時を取得し、その情報を簡単に広告主が知ることができれば、広告効果を確認でき、広告主に訪問保証型広告という広告効果の高い広告の仕組みを提供できる。
【図面の簡単な説明】
【図１】本発明の構成を示す図である。
【図２】本発明による広告データの構成を示す図である。
【図３】本発明による広告効果データの構成を示す図である。
【図４】本発明による広告データの例を示す図である。
【図５】本発明による広告効果データの例を示す図である。
【図６】本発明による広告提示部の例を示す図である。
【図７】本発明による訪問広告検出部の動作例を示す図である。
【符号の説明】
１０  センター
１１  訪問保証型広告装置
１００  広告データ
１０１  広告データ
１０２  広告データ
１１０  広告データベース
１１１  広告提示部
１１２  時間取得部
１１３  位置取得部
１１４  訪問広告検出部
１１６  広告効果送信部
１１７  広告効果データベース
１２０  広告効果データ
１２１  広告効果データ
１２２  広告効果データ
１３０  操作部
１４０，１４１，１４２  アンテナ
１５０  記録媒体
２００  広告データＩＤ
２０１  広告データコンテンツ
２０２  広告データ位置
２０３  広告データ最低滞在時間
３００  広告効果データＩＤ
３０１  ユーザＩＤ
３０２  滞在日時
Ｓ１００  広告データチェック
Ｓ１０１  広告データ取り出し
Ｓ１０２  現在位置取得
Ｓ１０３  広告データが領域内にあるかチェック
Ｓ１０４  滞在開始時間設定
Ｓ１０５  広告データが領域内にあるかチェック
Ｓ１０６  滞在終了時間設定
Ｓ１０７  広告データに関連する位置に訪問したかチェック
Ｓ１０８  広告効果データ出力
【図１】
0003539629.tif 000002
【図２】
0003539629.tif 000003
【図３】
0003539629.tif 000004
【図４】
0003539629.tif 000005
【図５】
0003539629.tif 000006
【図６】
0003539629.tif 000007
【図７】
0003539629.tif 000008